(57)【要約】【課題】通信品質の劣化を抑えること。【解決手段】制御装置１１０は、移動体通信網の無線基地局１２０へ無線接続し、無線ＬＡＮ１４０の検出動作を行わない第１状態と、検出動作を行い、検出した無線ＬＡＮ１４０へ無線接続する第２状態と、を切替可能な移動端末１３０を制御する。取得部１１１は、移動端末１３０の接続先候補の無線ＬＡＮ１４０の通信の混雑状態を示す混雑情報を取得する。制御部１１２は、取得部１１１によって取得された混雑情報が所定の条件を満たした場合に、移動端末１３０を第１状態から第２状態に切り替える切替制御を行う。【選択図】図１Ａ
2015012584.tif 000002
【特許請求の範囲】
【請求項１】
移動体通信網の無線基地局へ無線接続し、無線ＬＡＮ（Ｌｏｃａｌ  Ａｒｅａ  Ｎｅｔｗｏｒｋ）の検出動作を行わない第１状態と、前記検出動作を行い、検出した無線ＬＡＮへ無線接続する第２状態と、を切替可能な移動端末を制御する制御装置であって、
前記移動端末の接続先候補の無線ＬＡＮの通信の混雑状態を示す混雑情報を取得する取得部と、
前記取得部によって取得された混雑情報が所定の条件を満たした場合に、前記移動端末を前記第１状態から前記第２状態に切り替える切替制御を行う制御部と、
を備えることを特徴とする制御装置。
【請求項２】
前記取得部は、前記移動端末の移動速度を示す移動速度情報を取得し、
前記制御部は、前記取得部によって取得された移動速度情報および前記混雑情報に応じて前記切替制御を行う、
ことを特徴とする請求項１に記載の制御装置。
【請求項３】
前記制御部は、前記移動端末から前記無線基地局に対して通信要求があり、かつ前記混雑情報が所定の条件を満たした場合に前記切替制御を行うことにより、前記移動端末から前記無線ＬＡＮに対して通信要求させることを特徴とする請求項１または２に記載の制御装置。
【請求項４】
前記混雑情報は、前記接続先候補の無線ＬＡＮへ同時に接続可能な移動端末の最大数と、前記接続先候補の無線ＬＡＮへ接続中の移動端末の数と、の相違を示す接続状態情報を含み、
前記制御部は、前記接続状態情報が所定の条件を満たす場合に前記切替制御を行うことを特徴とする請求項１〜３のいずれか一つに記載の制御装置。
【請求項５】
前記混雑情報は、前記接続先候補の無線ＬＡＮの最大の通信帯域と、前記接続先候補が使用中の通信帯域と、の相違を示す帯域状態情報を含み、
前記制御部は、前記帯域状態情報が所定の条件を満たす場合に前記切替制御を行うことを特徴とする請求項１〜４のいずれか一つに記載の制御装置。
【請求項６】
前記取得部は、前記接続先候補の無線ＬＡＮと前記移動端末との間の距離と、前記接続先候補の無線ＬＡＮの無線伝送距離と、の相違を示す距離情報を取得し、
前記制御部は、前記距離情報が所定の条件を満たす場合に前記切替制御を行うことを特徴とする請求項１〜５のいずれか一つに記載の制御装置。
【請求項７】
前記制御部は、前記無線基地局と前記移動端末との間の通信のベアラ種別が所定のベアラ種別になり、かつ前記混雑情報が所定の条件を満たした場合に前記切替制御を行うことを特徴とする請求項１〜６のいずれか一つに記載の制御装置。
【請求項８】
移動体通信網の無線基地局へ無線接続し、無線ＬＡＮ（Ｌｏｃａｌ  Ａｒｅａ  Ｎｅｔｗｏｒｋ）の検出動作を行わない第１状態と、前記検出動作を行い、検出した無線ＬＡＮへ無線接続する第２状態と、を切替可能な移動端末を制御する制御方法であって、
前記移動端末の接続先候補の無線ＬＡＮの通信の混雑状態を示す混雑情報を取得し、
取得した混雑情報が所定の条件を満たした場合に、前記移動端末を前記第１状態から前記第２状態に切り替える切替制御を行う、
ことを特徴とする制御方法。
【請求項９】
無線基地局へ無線接続し、無線ＬＡＮ（Ｌｏｃａｌ  Ａｒｅａ  Ｎｅｔｗｏｒｋ）の検出動作を行わない第１状態と、前記検出動作を行い、検出した無線ＬＡＮへ無線接続する第２状態と、を切替可能な移動端末と、
前記移動端末の接続先候補の無線ＬＡＮの通信の混雑状態を示す混雑情報を取得し、取得した混雑情報が所定の条件を満たした場合に、前記移動端末を前記第１状態から前記第２状態に切り替える切替制御を行う制御装置と、
を含むことを特徴とする通信システム。
【発明の詳細な説明】
【技術分野】
【０００１】
本発明は、制御装置、制御方法および通信システムに関する。
【背景技術】
【０００２】
昨今、モバイルネットワークの高速化、移動端末の性能向上、移動端末の増加などにより、移動体通信網における通信量は年々増大している。また、スマートフォンなどの普及に伴い、移動体通信網のトラフィック量の増大が加速している。
【０００３】
これに対して、通信キャリアにおいては、Ｗｉ−Ｆｉ（Ｗｉｒｅｌｅｓｓ−Ｆｉｄｅｌｉｔｙ）などの無線ＬＡＮ（Ｗｉｒｅｌｅｓｓ  Ｌｏｃａｌ  Ａｒｅａ  Ｎｅｔｗｏｒｋ：無線構内通信網）のホットスポットを利用してトラフィックを無線ＬＡＮにオフロードさせる試みが行われている。なお、Ｗｉ−Ｆｉは登録商標である。
【０００４】
移動端末における無線ＬＡＮ機能のオン／オフの切り替えは、たとえばユーザによる手動操作によって行われる。たとえば、移動端末は、無線ＬＡＮ機能がオンのときに無線ＬＡＮのアクセスポイントを検出し、無線ＬＡＮのアクセスポイントが見つかった場合に通信経路を無線ＬＡＮへ自動的に切り替える。
【０００５】
ただし、無線ＬＡＮ機能をオンにしておくとアクセスポイントの検出動作によって消費電力が大きくなるため、無線ＬＡＮ機能をオフにしておくユーザも多い。これに対して、所定のプロトコルによる通信の検出を契機に無線ＬＡＮ機能のオン／オフを自動的に制御する技術が知られている（たとえば、下記特許文献１〜３参照。）。
【先行技術文献】
【特許文献】
【０００６】
【特許文献１】特開２００４−３１２０６９号公報
【特許文献２】特表２００９−５０３９２６号公報
【特許文献３】特開２０１０−０２８４１６号公報
【発明の概要】
【発明が解決しようとする課題】
【０００７】
しかしながら、上述した従来技術では、たとえば切替先の無線ＬＡＮが混雑していると、無線ＬＡＮへの切替後に移動端末における通信品質が劣化する場合がある。
【０００８】
１つの側面では、本発明は、通信品質の劣化を抑えることができる制御装置、制御方法および通信システムを提供することを目的とする。
【課題を解決するための手段】
【０００９】
上述した課題を解決し、目的を達成するため、本発明の一側面によれば、移動体通信網の無線基地局へ無線接続し、無線ＬＡＮ（Ｌｏｃａｌ  Ａｒｅａ  Ｎｅｔｗｏｒｋ）の検出動作を行わない第１状態と、前記検出動作を行い、検出した無線ＬＡＮへ無線接続する第２状態と、を切替可能な移動端末を制御する場合に、前記移動端末の接続先候補の無線ＬＡＮの通信の混雑状態を示す混雑情報を取得し、取得した混雑情報が所定の条件を満たした場合に、前記移動端末を前記第１状態から前記第２状態に切り替える切替制御を行う制御装置、制御方法および通信システムが提案される。
【発明の効果】
【００１０】
本発明の一側面によれば、通信品質の劣化を抑えることができる。
【図面の簡単な説明】
【００１１】
【図１Ａ】実施の形態１にかかる通信システムの一例を示す図である。
【図１Ｂ】図１Ａに示した通信システムにおける情報の流れの一例を示す図である。
【図２】実施の形態２にかかる通信システムの一例を示す図である。
【図３Ａ】実施の形態２にかかる無線基地局の一例を示す図である。
【図３Ｂ】図３Ａに示した無線基地局における情報の流れの一例を示す図である。
【図３Ｃ】無線基地局のハードウェア構成の一例を示す図である。
【図４】通信システムの処理の一例を示すシーケンス図である。
【図５】ベアラ種別の監視処理の一例を示すフローチャートである。
【図６】無線ＬＡＮ切替の可否の設定の一例を示す図である。
【図７】無線ＬＡＮ切替処理の一例を示すフローチャートである。
【図８】無線ＬＡＮの第１抽出処理の一例を示すフローチャートである。
【図９】無線ＬＡＮの第１抽出処理による抽出結果の一例を示す図である。
【図１０】無線ＬＡＮの第２抽出処理の一例を示すフローチャートである。
【図１１】無線ＬＡＮの第２抽出処理による抽出結果の一例を示す図である。
【図１２Ａ】無線ＬＡＮ切替指示信号のフォーマットの一例を示す図である。
【図１２Ｂ】接続可能無線ＬＡＮ情報の一例を示す図である。
【図１３】端末位置情報の取得処理の一例を示すフローチャートである。
【図１４】端末位置情報テーブルの一例を示す図である。
【図１５】接続可能無線ＬＡＮ情報の取得処理の一例を示すフローチャートである。
【図１６】接続可能無線ＬＡＮ情報テーブルの一例を示す図である。
【図１７】移動速度情報の取得処理の一例を示すフローチャートである。
【図１８】移動速度情報テーブルの一例を示す図である。
【図１９】無線ＬＡＮ位置情報の取得処理の一例を示すフローチャートである。
【図２０】無線ＬＡＮ位置情報テーブルの一例を示す図である。
【図２１】無線ＬＡＮ混雑情報の取得処理の一例を示すフローチャートである。
【図２２】無線ＬＡＮ混雑情報テーブルの一例を示す図である。
【図２３Ａ】実施の形態３にかかる無線基地局の一例を示す図である。
【図２３Ｂ】図２３Ａに示した無線基地局における情報の流れの一例を示す図である。
【図２４】プロトコルの監視処理の一例を示すフローチャートである。
【図２５】通信システムの処理の一例を示すシーケンス図である。
【発明を実施するための形態】
【００１２】
以下に図面を参照して、本発明にかかる制御装置、制御方法および通信システムの実施の形態を詳細に説明する。
【００１３】
（実施の形態１）
図１Ａは、実施の形態１にかかる通信システムの一例を示す図である。図１Ｂは、図１Ａに示した通信システムにおける情報の流れの一例を示す図である。図１Ａ，図１Ｂに示すように、実施の形態１にかかる通信システム１００は、制御装置１１０と、無線基地局１２０と、移動端末１３０と、アクセスポイント１４１と、を含む。
【００１４】
無線基地局１２０は、移動体通信網の無線基地局である。移動端末１３０は、無線基地局１２０へ無線接続することにより、ＲＡＮ（Ｒａｄｉｏ  Ａｃｃｅｓｓ  Ｎｅｔｗｏｒｋ：無線接続網）を介して広域通信網（たとえばインターネット）に接続可能である。また、移動端末１３０は、アクセスポイント１４１により形成される無線ＬＡＮ１４０に無線接続することにより、アクセスポイント１４１を介して広域通信網に接続可能である。
【００１５】
また、移動端末１３０は、周辺の無線ＬＡＮ１４０を検出する検出動作が可能である。そして、移動端末１３０は、無線ＬＡＮ１４０の検出動作を行わない第１状態と、無線ＬＡＮ１４０の検出動作を行い、検出動作によって検出した無線ＬＡＮ１４０へ無線接続する第２状態と、を移動端末１３０の外部からの制御によって切替可能である。図１Ａ，図１Ｂに示す状態では、移動端末１３０は第１状態であり、無線基地局１２０に無線接続しているとする。
【００１６】
制御装置１１０は、たとえば無線基地局１２０の内部に設けられた制御装置である。または、制御装置１１０は、無線基地局１２０と通信可能な制御装置に設けられてもよい。制御装置１１０は、取得部１１１と、制御部１１２と、を備える。取得部１１１は、移動端末１３０の接続先候補の無線ＬＡＮ１４０の通信の混雑状態を示す混雑情報を取得する。たとえば、取得部１１１は、無線ＬＡＮ１４０、または無線ＬＡＮ１４０と通信可能な通信装置から混雑情報を受信する。取得部１１１は、取得した混雑情報を制御部１１２へ出力する。
【００１７】
制御部１１２は、移動端末１３０を第１状態から第２状態に切り替える切替制御を、取得部１１１から出力された混雑情報が所定の条件を満たしているか否かに応じて行う。所定の条件とは、たとえば、無線ＬＡＮ１４０における通信の混雑の程度が一定以上であることを混雑情報が示していることである。
【００１８】
制御部１１２は、取得部１１１から出力された混雑情報が所定の条件を満たした場合に切替制御を行う。たとえば、制御部１１２は、無線基地局１２０による無線通信を介して移動端末１３０へ切替指示信号を送信することによって切替制御を行うことができる。制御部１１２によって切替制御が行われると、移動端末１３０は、無線ＬＡＮの検出動作を行って無線ＬＡＮ１４０を検出し、無線ＬＡＮ１４０（アクセスポイント１４１）に無線接続する。これにより、移動端末１３０は、無線ＬＡＮ１４０を介した広域通信網への接続を開始することができる。
【００１９】
制御部１１２は、取得部１１１から出力された混雑情報が所定の条件を満たさない場合は切替制御を行わない。この場合は、移動端末１３０は、無線基地局１２０を介した広域通信網への接続を継続する。
【００２０】
このように、実施の形態１にかかる制御装置１１０によれば、移動端末１３０の接続先候補の無線ＬＡＮ１４０の混雑情報を用いることにより、無線ＬＡＮ１４０の通信が混雑していない場合に、移動端末１３０を無線ＬＡＮ１４０に接続させることが可能になる。これにより、移動端末１３０の通信を無線ＬＡＮ１４０にオフロードさせるとともに、オフロードに伴う移動端末１３０の通信品質の劣化を抑えることができる。
【００２１】
＜移動端末の移動速度に応じた切替制御＞
また、取得部１１１は、移動端末１３０の移動速度を示す移動速度情報を取得してもよい。たとえば、取得部１１１は、無線基地局１２０による無線通信を介して移動端末１３０から移動速度情報を取得することができる。取得部１１１は、取得した移動速度情報を制御部１１２へ出力する。
【００２２】
制御部１１２は、取得部１１１から出力された移動速度情報および混雑情報に応じて切替制御を行う。たとえば、制御部１１２は、移動速度情報が示す移動端末１３０の移動速度が所定速度以上である場合は、混雑情報が所定の条件を満たしていても切替制御を行わないようにする。
【００２３】
これにより、移動端末１３０が無線ＬＡＮ１４０に無線接続しても短時間で無線ＬＡＮ１４０に無線接続できなくなると予測される場合は、移動端末１３０を無線ＬＡＮ１４０に接続させないようにすることができる。このため、オフロードに伴う移動端末１３０の通信品質の劣化を抑えることができる。
【００２４】
＜接続先の無線ＬＡＮの指定＞
また、制御部１１２は、移動端末１３０の接続先候補の無線ＬＡＮ１４０が複数存在する場合に、複数の無線ＬＡＮ１４０の中から移動端末１３０に接続させる無線ＬＡＮ１４０を混雑情報に基づいて選択してもよい。たとえば、制御部１１２は、複数の無線ＬＡＮ１４０の中で、通信の混雑が相対的に少ない無線ＬＡＮを選択する。
【００２５】
そして、制御部１１２は、選択した無線ＬＡＮ１４０を移動端末１３０へ通知することにより、選択した無線ＬＡＮ１４０へ移動端末１３０を接続させる。たとえば、制御部１１２は、無線基地局１２０による無線通信を介して送信する切替指示信号に、選択した無線ＬＡＮ１４０の識別情報を格納することにより、選択した無線ＬＡＮ１４０を移動端末１３０へ通知することができる。
【００２６】
これにより、移動端末１３０の接続先候補の無線ＬＡＮ１４０が複数存在する場合に、より混雑の少ない無線ＬＡＮ１４０を指定して移動端末１３０に接続させ、オフロード先における移動端末１３０の通信品質を向上させることができる。
【００２７】
＜接続中の移動端末の数に基づく混雑の判断＞
たとえば、取得部１１１が取得する混雑情報は、無線ＬＡＮ１４０へ同時に接続可能な移動端末の最大数と、無線ＬＡＮ１４０へ接続中の移動端末の数と、の相違（たとえば差や比率）を示す接続状態情報を含む。そして、制御部１１２は、接続状態情報が所定の条件を満たす場合に切替制御を行い、接続状態情報が所定の条件を満たさない場合に切替制御を行わない。
【００２８】
たとえば、制御部１１２は、無線ＬＡＮ１４０へ同時に接続可能な移動端末の最大数に対する無線ＬＡＮ１４０へ接続中の移動端末の数の比率が所定比率未満である場合に切替制御を行う。また、制御部１１２は、無線ＬＡＮ１４０へ同時に接続可能な移動端末の最大数に対する無線ＬＡＮ１４０へ接続中の移動端末の数の比率が所定比率以上である場合に切替制御を行わない。これにより、接続先候補の無線ＬＡＮ１４０の通信が混雑していない場合に、移動端末１３０を無線ＬＡＮ１４０に接続させることが可能になる。
【００２９】
＜使用中の通信帯域に基づく混雑の判断＞
たとえば、取得部１１１が取得する混雑情報は、無線ＬＡＮ１４０の最大の通信帯域（通信速度）と、無線ＬＡＮ１４０が使用中の通信帯域と、の相違（たとえば差や比率）を示す帯域状態情報を含んでいてもよい。そして、制御部１１２は、帯域状態情報が所定の条件を満たす場合に切替制御を行い、帯域状態情報が所定の条件を満たさない場合に切替制御を行わない。
【００３０】
たとえば、制御部１１２は、無線ＬＡＮ１４０の最大の通信帯域に対する無線ＬＡＮ１４０が使用中の通信帯域の比率が所定比率未満である場合に切替制御を行う。また、制御部１１２は、無線ＬＡＮ１４０の最大の通信帯域に対する無線ＬＡＮ１４０が使用中の通信帯域の比率が所定比率以上である場合に切替制御を行わない。これにより、接続先候補の無線ＬＡＮ１４０の通信が混雑していない場合に、移動端末１３０を無線ＬＡＮ１４０に接続させることが可能になる。
【００３１】
＜移動端末と無線ＬＡＮとの間の距離に応じた切替制御＞
また、取得部１１１は、無線ＬＡＮ１４０と移動端末１３０との間の距離と、無線ＬＡＮ１４０の無線伝送距離と、の相違を示す距離情報を取得してもよい。無線伝送距離は、たとえば、無線ＬＡＮ１４０との間で無線通信が可能な無線ＬＡＮ１４０との間の距離である。取得部１１１は、取得した距離情報を制御部１１２へ出力する。たとえば、取得部１１１は、移動端末１３０の位置を示す情報と、無線ＬＡＮ１４０の位置を示す情報と、無線ＬＡＮ１４０の無線伝送距離を示す情報と、に基づいて距離情報を算出する。
【００３２】
たとえば、取得部１１１は、移動端末１３０の位置を示す情報を、無線基地局１２０による無線通信を介して移動端末１３０から受信することができる。また、取得部１１１は、無線ＬＡＮ１４０の位置を示す情報および無線ＬＡＮ１４０の無線伝送距離を示す情報を、無線ＬＡＮ１４０または無線ＬＡＮ１４０と通信可能通信装置から受信することができる。または、無線ＬＡＮ１４０の位置を示す情報および無線ＬＡＮ１４０の無線伝送距離は、あらかじめ制御装置１１０のメモリに記憶されていてもよい。
【００３３】
制御部１１２は、取得部１１１から出力された距離情報および混雑情報に応じて切替制御を行う。たとえば、制御部１１２は、無線ＬＡＮ１４０の無線伝送距離に対する、無線ＬＡＮ１４０と移動端末１３０との間の距離の比率が所定比率以上である場合は、混雑情報が所定の条件を満たしていても切替制御を行わないようにする。
【００３４】
これにより、無線ＬＡＮ１４０に無線接続しても高い通信品質が得られないと予測される場合は、移動端末１３０を無線ＬＡＮ１４０に接続させないようにすることができる。このため、オフロードに伴う移動端末１３０の通信品質の劣化を抑えることができる。
【００３５】
＜切替制御の契機＞
また、たとえば、制御部１１２は、移動端末１３０から無線基地局に対する通信要求の発生を契機として切替制御を行う。これにより、通信要求があり、かつ混雑情報が所定の条件を満たしていた場合に移動端末１３０を第２状態に切り替え、移動端末１３０から無線ＬＡＮ１４０に対して通信要求させることができる。このため、オフロードに伴う移動端末１３０の通信の不安定化を回避することができる。
【００３６】
また、制御部１１２は、無線基地局１２０と移動端末１３０との間の通信のベアラ種別（サービス種別）を監視してもよい。そして、制御部１１２は、無線基地局１２０と移動端末１３０との間の通信のベアラ種別が所定のベアラ種別になり、かつ混雑情報が所定の条件を満たした場合に切替制御を行う。これにより、たとえば通信のベアラ種別がリアルタイム性を要するなど、無線ＬＡＮ１４０への切り替えが適切でない場合は、移動端末１３０を無線ＬＡＮ１４０に接続させないようにすることができる。
【００３７】
また、制御部１１２は、無線基地局１２０と移動端末１３０との間の通信のプロトコルを監視してもよい。そして、制御部１１２は、無線基地局１２０と移動端末１３０との間の通信のプロトコルが所定のプロトコルになり、かつ混雑情報が所定の条件を満たした場合に切替制御を行う。これにより、たとえば通信のプロトコルがリアルタイム性を要するなど、無線ＬＡＮ１４０への切り替えが適切でない場合は、移動端末１３０を無線ＬＡＮ１４０に接続させないようにすることができる。
【００３８】
（実施の形態２）
（実施の形態２にかかる通信システム）
図２は、実施の形態２にかかる通信システムの一例を示す図である。図２に示すように、実施の形態２にかかる通信システム２００は、無線基地局２１１と、管理サーバ２１２と、無線ＬＡＮ管理サーバ２２１，２２２と、アクセスポイント２３１〜２３３（ＡＰ：Ａｃｃｅｓｓ  Ｐｏｉｎｔ）と、移動端末２４０と、を含む。
【００３９】
図１Ａ，図１Ｂに示した無線基地局１２０は、たとえば無線基地局２１１によって実現することができる。図１Ａ，図１Ｂに示した移動端末１３０は、たとえば移動端末２４０によって実現することができる。図１Ａ，図１Ｂに示した無線ＬＡＮ１４０は、たとえばアクセスポイント２３１〜２３３によって実現することができる。
【００４０】
図１Ａ，図１Ｂに示した制御装置１１０は、たとえば無線基地局２１１によって実現することができる。または、図１Ａ，図１Ｂに示した制御装置１１０は、たとえば管理サーバ２１２によって実現してもよい。実施の形態２においては、図１Ａ，図１Ｂに示した制御装置１１０を無線基地局２１１によって実現する場合について説明する。
【００４１】
無線基地局２１１および管理サーバ２１２は、ＲＡＮ２１０に設けられている。無線基地局２１１は、移動端末２４０との間で無線通信が可能な基地局である。管理サーバ２１２は、無線基地局２１１との間で通信可能なサーバである。また、管理サーバ２１２は、たとえば無線ＬＡＮ管理サーバ２２１，２２２との間で通信可能なサーバである。
【００４２】
無線ＬＡＮ管理サーバ２２１は、アクセスポイント２３１，２３２を管理するサーバである。無線ＬＡＮ管理サーバ２２２は、アクセスポイント２３３を管理するサーバである。アクセスポイント２３１〜２３３は、移動端末２４０が接続可能な無線ＬＡＮを形成するアクセスポイントである。
【００４３】
移動端末２４０は、無線ＬＡＮ機能がオンである場合は、移動端末２４０との間で無線接続が可能なアクセスポイント（たとえばアクセスポイント２３１〜２３３）の検出動作を行う。そして、移動端末２４０は、無線接続が可能なアクセスポイントを検出すると、検出したアクセスポイントに無線接続する。
【００４４】
一方、移動端末２４０は、無線接続が可能なアクセスポイントが検出されなかった場合は、たとえば無線基地局２１１との間で無線通信を行う。また、移動端末２４０は、無線ＬＡＮ機能がオフである場合は、アクセスポイント２３１〜２３３の検出動作を行わず、たとえば無線基地局２１１との間で無線通信を行う。
【００４５】
また、移動端末２４０は、ＧＰＳ（Ｇｌｏｂａｌ  Ｐｏｓｉｔｉｏｎｉｎｇ  Ｓｙｓｔｅｍ：全地球測位システム）のＧＰＳ衛星２０１からの信号を受信することにより移動端末２４０の位置情報を測定可能であってもよい。
【００４６】
（実施の形態２にかかる無線基地局）
図３Ａは、実施の形態２にかかる無線基地局の一例を示す図である。図３Ｂは、図３Ａに示した無線基地局における情報の流れの一例を示す図である。図３Ａ，図３Ｂに示すように、実施の形態２にかかる無線基地局２１１は、たとえば、アンテナ３０１と、ＲＲＨ３１０（Ｒｅｍｏｔｅ  Ｒａｄｉｏ  Ｈｅａｄ：無線部）と、ＢＢＵ３２０（Ｂａｓｅ  Ｂａｎｄ  Ｕｎｉｔ：ベースバンド部）と、を備える。
【００４７】
ＲＲＨ３１０は、アンテナ３０１を用いて、他の通信装置（たとえば移動端末２４０）との間で無線信号の送受信を行う。たとえば、ＲＲＨ３１０は、アンプ３１１（ＡＭＰ）と、無線信号処理部３１２（ＴＲＸ）と、を備える。アンプ３１１は、アンテナ３０１から送信するための信号の電力増幅を行うアンプや、アンテナ３０１によって受信された信号の電力増幅を行うアンプを含む。
【００４８】
無線信号処理部３１２は、ＲＲＨ３１０が送受信する無線信号の無線信号処理を行う。無線信号処理部３１２による無線信号処理には、たとえば、アンテナ３０１から送信するための送信信号のデジタルからアナログへの変換（Ｄ／Ａ変換）や、アンテナ３０１によって受信された受信信号のアナログからデジタルへの変換（Ａ／Ｄ変換）が含まれる。
【００４９】
ＢＢＵ３２０は、Ｓ１／Ｘ２回線終端処理、デジタルベースバンド信号処理、呼処理、監視制御処理などのベースバンド処理を行う。たとえば、ＢＢＵ３２０は、ベースバンド処理部３２１（ＢＢ：Ｂａｓｅ  Ｂａｎｄ）と、コントロール部３２２（ＣＮＴ）と、を含む。ベースバンド処理部３２１は、たとえば、ＲＬＣ（Ｒａｄｉｏ  Ｌｉｎｋ  Ｃｏｎｔｒｏｌ）、ＰＤＣＰ（Ｐａｃｋｅｔ  Ｄａｔａ  Ｃｏｎｖｅｒｇｅｎｃｅ  Ｐｒｏｔｏｃｏｌ）、ＭＡＣ（Ｍｅｄｉａ  Ａｃｃｅｓｓ  Ｃｏｎｔｒｏｌ）、ＰＨＹ（物理層）の各レイヤのプロトコル処理を行う。
【００５０】
コントロール部３２２は、ＩＰ（Ｉｎｔｅｒｎｅｔ  Ｐｒｏｔｏｃｏｌ）プロトコル処理、呼制御処理、ＯＡＭ（Ｏｐｅｒａｔｉｏｎ  Ａｄｍｉｎｉｓｔｒａｔｉｏｎ  Ｍａｉｎｔｅｎａｎｃｅ）処理、Ｓ１／Ｘ２回線終端処理、ＮＡＴ（Ｎｅｔｗｏｒｋ  Ａｄｄｒｅｓｓ  Ｔｒａｎｓｌａｔｉｏｎ）処理、帯域制御処理、装置障害監視処理などの制御処理を行う。たとえば、コントロール部３２２は、アプリケーション処理部３３０（ＡＰＬ）を含む。アプリケーション処理部３３０は、呼制御処理、ＯＡＭ処理、無線基地局２１１の設定および運用の処理などを行う。
【００５１】
また、アプリケーション処理部３３０は、無線通信部３３１と、トリガ監視部３３２と、無線ＬＡＮ切替判断部３３３と、端末情報管理部３３４と、端末情報記憶部３３５と、無線ＬＡＮ情報管理部３３６と、無線ＬＡＮ情報記憶部３３７と、を含む。
【００５２】
図１Ａ，図１Ｂに示した取得部１１１は、たとえば端末情報管理部３３４、端末情報記憶部３３５、無線ＬＡＮ情報管理部３３６および無線ＬＡＮ情報記憶部３３７によって実現することができる。図１Ａ，図１Ｂに示した制御部１１２は、たとえば無線通信部３３１、トリガ監視部３３２および無線ＬＡＮ切替判断部３３３によって実現することができる。
【００５３】
無線通信部３３１は、ベースバンド処理部３２１およびＲＲＨ３１０を介して、移動端末２４０との間の制御信号の送受信およびユーザデータの送受信を行う。無線通信部３３１が移動端末２４０へ送信する制御信号には、無線ＬＡＮ切替判断部３３３から出力される、無線ＬＡＮへの切替を指示する無線ＬＡＮ切替指示信号が含まれる。
【００５４】
トリガ監視部３３２は、移動端末２４０を無線ＬＡＮへ切り替える切替トリガの監視を行う。実施の形態２においては、トリガ監視部３３２は、無線通信部３３１によって行われる移動端末２４０との通信のベアラ種別を監視し、所定のベアラ種別を検出すると、無線ＬＡＮ切替判断部３３３に対して切替判断要求を行う。
【００５５】
無線ＬＡＮ切替判断部３３３は、トリガ監視部３３２から切替判断要求があると、移動端末２４０の無線ＬＡＮへの切替を判断する。たとえば、無線ＬＡＮ切替判断部３３３は、端末情報記憶部３３５および無線ＬＡＮ情報記憶部３３７に記憶された各情報に基づいて、移動端末２４０に無線ＬＡＮへの切替を実行させるか否かを判断する。
【００５６】
また、無線ＬＡＮ切替判断部３３３は、移動端末２４０に無線ＬＡＮへの切替を実行させる場合は、切替先の無線ＬＡＮを選択する。そして、無線ＬＡＮ切替判断部３３３は、選択した無線ＬＡＮへの切替を指示する無線ＬＡＮ切替指示信号を無線通信部３３１へ出力する。これにより、無線通信部３３１から移動端末２４０へ無線ＬＡＮ切替指示信号が送信され、移動端末２４０が無線ＬＡＮへの切り替えを行う。
【００５７】
端末情報管理部３３４は、移動端末２４０に関する端末情報を移動端末２４０から受信する。端末情報は、たとえば、移動端末２４０の位置を示す端末位置情報（たとえば図１４参照）、移動端末２４０の移動速度を示す移動速度情報（たとえば図１８参照）を含む。
【００５８】
または、端末情報管理部３３４は、移動端末２４０における無線ＬＡＮ管理サーバ２２１からの電波の測定結果を示す測定情報を移動端末２４０から受信し、受信した測定情報から移動端末２４０の位置を示す端末位置情報を算出してもよい（たとえば図１３参照）。この場合は、測定情報は、たとえばＰＣＩ（Ｐｈｙｓｉｃａｌ  Ｃｅｌｌ  Ｉｄｅｎｔｉｔｙ：物理セルＩＤ）やＲＳＲＰ（Ｒｅｆｅｒｅｎｃｅ  Ｓｉｇｎａｌ  Ｒｅｃｅｉｖｅｄ  Ｐｏｗｅｒ：基準信号受信電力）とすることができる。
【００５９】
また、端末情報は、移動端末２４０が接続可能な無線ＬＡＮを示す接続可能無線ＬＡＮ情報（たとえば図１６参照）などを含んでいてもよい。接続可能無線ＬＡＮ情報（たとえば図１２Ｂ参照）は、たとえば無線ＬＡＮのＳＳＩＤ（Ｓｅｒｖｉｃｅ  Ｓｅｔ  Ｉｄｅｎｔｉｆｉｅｒ：サービスセット識別子）である。端末情報管理部３３４は、取得した端末情報を端末情報記憶部３３５へ出力する。
【００６０】
端末情報記憶部３３５は、端末情報管理部３３４から出力された端末情報を記憶する。また、端末情報記憶部３３５は、たとえば接続可能無線ＬＡＮ情報などをあらかじめ記憶していてもよい。
【００６１】
無線ＬＡＮ情報管理部３３６は、移動端末２４０の接続先の候補の無線ＬＡＮ（たとえばアクセスポイント２３１〜２３３）に関する無線ＬＡＮ情報を管理サーバ２１２や無線ＬＡＮ管理サーバ２２１，２２２から受信する。無線ＬＡＮ情報は、たとえば、移動端末２４０の接続先の候補の無線ＬＡＮの通信の混雑状況を示す無線ＬＡＮ混雑情報（たとえば図２２参照）を含む。
【００６２】
また、無線ＬＡＮ情報は、移動端末２４０の接続先の候補の無線ＬＡＮの位置を示す無線ＬＡＮ位置情報（たとえば図２０参照）を含んでいてもよい。また、無線ＬＡＮ情報は、移動端末２４０の接続先の候補の無線ＬＡＮの無線伝送距離を示す無線ＬＡＮ伝送距離情報を含んでいてもよい。無線ＬＡＮ情報管理部３３６は、取得した無線ＬＡＮ情報を無線ＬＡＮ情報記憶部３３７へ出力する。
【００６３】
無線ＬＡＮ情報記憶部３３７は、無線ＬＡＮ情報管理部３３６から出力された無線ＬＡＮ情報を記憶する。また、無線ＬＡＮ情報記憶部３３７は、たとえば無線ＬＡＮ位置情報などをあらかじめ記憶していてもよい。また、無線ＬＡＮ情報記憶部３３７は、たとえば無線ＬＡＮ伝送距離情報などをあらかじめ記憶していてもよい。
【００６４】
（無線基地局のハードウェア構成）
図３Ｃは、無線基地局のハードウェア構成の一例を示す図である。図３Ａ，図３Ｂに示した無線基地局２１１は、たとえば図３Ｃに示す通信装置３５０によって実現することができる。通信装置３５０は、ＣＰＵ３５１（Ｃｅｎｔｒａｌ  Ｐｒｏｃｅｓｓｉｎｇ  Ｕｎｉｔ）と、ＲＡＭ３５２（Ｒａｎｄｏｍ  Ａｃｃｅｓｓ  Ｍｅｍｏｒｙ：ランダムアクセスメモリ）と、不揮発メモリ３５３と、を備える。また、通信装置３５０は、有線通信インタフェース３５４と、無線通信インタフェース３５５と、を備える。ＣＰＵ３５１、ＲＡＭ３５２、不揮発メモリ３５３、有線通信インタフェース３５４および無線通信インタフェース３５５は、バス３５９によって接続される。
【００６５】
ＣＰＵ３５１は、通信装置３５０の全体の制御を司る。ＲＡＭ３５２は、ＣＰＵ３５１のワークエリアとして使用される。不揮発メモリ３５３は、たとえば磁気ディスク、光ディスク、フラッシュメモリなどの不揮発メモリである。不揮発メモリ３５３には、通信装置３５０を動作させる各種のプログラムが記憶されている。不揮発メモリ３５３に記憶されたプログラムは、ＲＡＭ３５２にロードされてＣＰＵ３５１によって実行される。
【００６６】
有線通信インタフェース３５４は、有線によって通信装置３５０の外部（たとえば管理サーバ２１２や無線ＬＡＮ管理サーバ２２１，２２２）との間で通信を行う通信インタフェースである。無線通信インタフェース３５５は、ＣＰＵ３５１によって制御される。
【００６７】
無線通信インタフェース３５５は、無線によって通信装置３５０の外部（たとえば移動端末２４０）との間で通信を行う通信インタフェースである。無線通信インタフェース３５５は、ＣＰＵ３５１によって制御される。たとえば、無線通信インタフェース３５５は、図３Ａ，図３Ｂに示したアンテナ３０１やＲＲＨ３１０を含む。
【００６８】
図３Ａ，図３Ｂに示したＢＢＵ３２０は、たとえばＣＰＵ３５１およびＲＡＭ３５２によって実現することができる。また、図３Ａ，図３Ｂに示した端末情報管理部３３４は、たとえば無線通信インタフェース３５５を介して移動端末２４０と通信を行うことによって端末情報を受信することができる。また、図３Ａ，図３Ｂに示した無線ＬＡＮ情報管理部３３６は、たとえば有線通信インタフェース３５４を介して管理サーバ２１２、無線ＬＡＮ管理サーバ２２１，２２２と通信を行うことによって無線ＬＡＮ情報を受信することができる。
【００６９】
（通信システムの処理）
図４は、通信システムの処理の一例を示すシーケンス図である。通信システム２００においては、たとえば図４に示す各ステップが実行される。図４に示す例において、移動端末２４０は無線基地局２１１に接続中であるとする。また、図４に示す例では、移動端末２４０の接続先の候補がアクセスポイント２３１，２３２である場合について説明する。
【００７０】
まず、無線基地局２１１が、端末位置情報や移動速度情報などを含む端末情報を移動端末２４０から受信する（ステップＳ４０１）。ステップＳ４０１によって受信された端末情報は、無線基地局２１１の端末情報記憶部３３５に記憶される。
【００７１】
また、無線ＬＡＮ管理サーバ２２１が、アクセスポイント２３１の通信の混雑状況を示す無線ＬＡＮ混雑情報を含む無線ＬＡＮ情報をアクセスポイント２３１から受信する（ステップＳ４０２）。また、無線ＬＡＮ管理サーバ２２１が、アクセスポイント２３２の通信の混雑状況を示す無線ＬＡＮ混雑情報を含む無線ＬＡＮ情報をアクセスポイント２３２から受信する（ステップＳ４０３）。また、無線ＬＡＮ情報には、アクセスポイント２３１，２３２の位置を示す無線ＬＡＮ位置情報が含まれていてもよい。
【００７２】
また、無線基地局２１１が、ステップＳ４０２，Ｓ４０３によって無線ＬＡＮ管理サーバ２２１が受信した各無線ＬＡＮ情報を無線ＬＡＮ管理サーバ２２１から受信する（ステップＳ４０４）。ステップＳ４０４によって受信された各無線ＬＡＮ情報は、無線基地局２１１の無線ＬＡＮ情報記憶部３３７に記憶される。ステップＳ４０１〜Ｓ４０４は、それぞれ周期的に実行されてもよい。
【００７３】
つぎに、移動端末２４０が、無線基地局２１１に対して通信要求を行ったとする（ステップＳ４０５）。そして、ステップＳ４０５の通信要求のベアラ種別が、無線ＬＡＮへの切替対象となる所定のベアラ種別であったとする。
【００７４】
つぎに、無線基地局２１１が、アクセスポイント２３１，２３２の各無線ＬＡＮのうちの切替先の無線ＬＡＮを、端末情報記憶部３３５および無線ＬＡＮ情報記憶部３３７に記憶された各情報に基づいて選択する（ステップＳ４０６）。たとえば、無線基地局２１１は、端末情報および無線ＬＡＮ情報に基づいて、移動端末２４０が接続可能かつ混雑していない無線ＬＡＮを選択する。図４に示す例では、ステップＳ４０６において、アクセスポイント２３２の無線ＬＡＮが選択されたとする。
【００７５】
つぎに、無線基地局２１１が、アクセスポイント２３２の無線ＬＡＮへの接続を指示する無線ＬＡＮ切替指示信号を移動端末２４０へ送信する（ステップＳ４０７）。つぎに、移動端末２４０が、アクセスポイント２３２に対する接続要求を行う（ステップＳ４０８）。これにより、移動端末２４０の通信経路が無線基地局２１１からアクセスポイント２３２に切り替わり、移動端末２４０は、ステップＳ４０５の通信要求にかかる通信をアクセスポイント２３２の無線ＬＡＮを介して開始する。
【００７６】
（ベアラ種別の監視処理）
図５は、ベアラ種別の監視処理の一例を示すフローチャートである。無線基地局２１１は、たとえば図５に示す各ステップを繰り返し実行する。まず、無線基地局２１１は、移動端末２４０から無線基地局２１１に対する通信要求があったか否かを判断し（ステップＳ５０１）、通信要求があるまで待つ（ステップＳ５０１：Ｎｏのループ）。ステップＳ５０１は、たとえば無線通信部３３１によって実行される。
【００７７】
ステップＳ５０１において、通信要求があると（ステップＳ５０１：Ｙｅｓ）、無線基地局２１１は、通信要求にかかる呼のベアラ種別が、無線ＬＡＮ切替が可のベアラ種別であるか否かを判断する（ステップＳ５０２）。ステップＳ５０２は、たとえばトリガ監視部３３２によって実行される。無線ＬＡＮ切替が可のベアラ種別であるか否かの判断については後述する（たとえば図６参照）。
【００７８】
ステップＳ５０２において、無線ＬＡＮ切替が可のベアラ種別でない場合（ステップＳ５０２：Ｎｏ）は、無線基地局２１１は、通信要求に応じた無線接続処理を行う（ステップＳ５０３）。ステップＳ５０３は、たとえば無線通信部３３１によって実行される。これにより、移動端末２４０は、無線基地局２１１を介した通信を行うことができる。そして、無線基地局２１１は、一連の監視処理を終了する。
【００７９】
ステップＳ５０２において、無線ＬＡＮ切替が可のベアラ種別である場合（ステップＳ５０２：Ｙｅｓ）は、無線基地局２１１は、無線ＬＡＮ切替処理を行い（ステップＳ５０４）、一連の監視処理を終了する。ステップＳ５０４は、たとえば無線ＬＡＮ切替判断部３３３によって実行される。無線ＬＡＮ切替処理は、移動端末２４０の付近に適切な無線ＬＡＮがあれば移動端末２４０を無線ＬＡＮに切り替えさせる処理である。無線ＬＡＮ切替処理については後述する（たとえば図７参照）。
【００８０】
以上の各ステップにより、移動端末２４０からの通信要求を契機として無線ＬＡＮ切替処理を行うことができる。また、通信要求にかかる呼のベアラ種別が、無線ＬＡＮへの切替が推奨されないベアラ種別である場合は、移動端末２４０の無線ＬＡＮ切替処理を行わないようにすることができる。
【００８１】
（無線ＬＡＮ切替の可否の設定）
図６は、無線ＬＡＮ切替の可否の設定の一例を示す図である。たとえば、無線基地局２１１は、図６に示すテーブル６００をメモリ（たとえば不揮発メモリ３５３）に記憶している。テーブル６００は、項目「ＱＣＩ」、「Ｒｅｓｏｕｒｃｅ  Ｔｙｐｅ」、「Ｐｒｉｏｒｉｔｙ」、「Ｐａｃｋｅｔ  Ｄｅｌａｙ  Ｂｕｄｇｅｔ」、「Ｐａｃｋｅｔ  Ｅｒｒｏｒ  Ｌｏｓｓ  Ｒａｔｅ」および「Ｅｘａｍｐｌｅ  Ｓｅｒｖｉｃｅｓ」を含む。これらの各項目は、たとえば３ＧＰＰのＴＳ２３．２０３  Ｖ８．３．１に規定されたＴａｂｌｅ  ６．１．７：Ｓｔａｎｄａｒｄｉｚｅｄ  ＱＣＩ  ｃｈａｒａｃｔｅｒｉｓｔｉｃｓにおいて定義されているものである。また、テーブル６００は、さらに、項目「無線ＬＡＮ切替の可否」を含む。
【００８２】
「ＱＣＩ」は、ＱｏＳ（Ｑｕａｌｉｔｙ  ｏｆ  Ｓｅｒｖｉｃｅ）のクラスＩＤ（ＱＣＩ：ＱｏＳ  Ｃｌａｓｓ  Ｉｄｅｎｔｉｆｉｅｒ）であり、「ＱＣＩ」から通信要求にかかる呼のベアラ種別を判定することができる。「無線ＬＡＮ切替の可否」は、「ＱＣＩ」ごとに、無線ＬＡＮ切替の可否を示す情報である。無線基地局２１１の管理者は、各種の通信ポリシなどに基づいてテーブル６００の「無線ＬＡＮ切替の可否」を設定することにより、ベアラ種別ごとに無線ＬＡＮ切替の可否を設定することができる。
【００８３】
たとえば、トリガ監視部３３２は、図５のステップＳ５０２において、テーブル６００に基づいて、通信要求にかかる「ＱＣＩ」に対応する「無線ＬＡＮ切替の可否」が可であるか否かを判断する。これにより、通信要求にかかる呼のベアラ種別が、無線ＬＡＮ切替が可のベアラ種別であるか否かを判断することができる。
【００８４】
（無線ＬＡＮ切替処理）
図７は、無線ＬＡＮ切替処理の一例を示すフローチャートである。無線ＬＡＮ切替判断部３３３は、ステップＳ５０４の無線ＬＡＮ切替処理として、たとえば以下の各ステップを実行する。まず、無線ＬＡＮ切替判断部３３３は、端末情報記憶部３３５および無線ＬＡＮ情報記憶部３３７から、端末情報および無線ＬＡＮ情報を含む各情報を読み出す（ステップＳ７０１）。
【００８５】
つぎに、無線ＬＡＮ切替判断部３３３は、ステップＳ７０１によって読み出した端末情報に含まれる移動速度情報に基づいて、移動端末２４０の移動速度が所定値以上であるか否かを判断する（ステップＳ７０２）。所定値は、たとえば人間の歩行速度程度の値（たとえば６［ｋｍ／ｈ］）とすることができる。移動速度が所定値以上である場合（ステップＳ７０２：Ｙｅｓ）は、無線ＬＡＮ切替判断部３３３は、無線ＬＡＮ切替制御を行わずに、一連の無線ＬＡＮ切替処理を終了する。
【００８６】
ステップＳ７０２において、移動速度が所定値未満である場合（ステップＳ７０２：Ｎｏ）は、無線ＬＡＮ切替判断部３３３は、無線ＬＡＮの第１抽出処理を行う（ステップＳ７０３）。無線ＬＡＮの第１抽出処理は、移動端末２４０の付近の移動端末２４０が接続可能な無線ＬＡＮを抽出し、抽出結果の無線ＬＡＮリストを返す処理である。無線ＬＡＮの第１抽出処理については後述する（たとえば図８参照）。
【００８７】
つぎに、無線ＬＡＮ切替判断部３３３は、無線ＬＡＮの第２抽出処理を行う（ステップＳ７０４）。無線ＬＡＮの第２抽出処理は、ステップＳ７０３による無線ＬＡＮの第１抽出処理によって得られた無線ＬＡＮリストの中から混雑していない無線ＬＡＮを抽出し、抽出結果の無線ＬＡＮリストを返す処理である。無線ＬＡＮの第２抽出処理については後述する（たとえば図１０参照）。
【００８８】
つぎに、無線ＬＡＮ切替判断部３３３は、ステップＳ７０４によって得られた無線ＬＡＮリストに無線ＬＡＮが登録されているか否かを判断する（ステップＳ７０５）。無線ＬＡＮリストに無線ＬＡＮが登録されていない場合（ステップＳ７０５：Ｎｏ）は、無線ＬＡＮ切替判断部３３３は、無線ＬＡＮ切替制御を行わずに、一連の無線ＬＡＮ切替処理を終了する。
【００８９】
ステップＳ７０５において、無線ＬＡＮリストに無線ＬＡＮが登録されている場合（ステップＳ７０５：Ｙｅｓ）は、無線ＬＡＮ切替判断部３３３は、無線通信部３３１を介して移動端末２４０へ無線ＬＡＮ切替指示信号を送信する（ステップＳ７０６）。無線ＬＡＮ切替指示信号は、ステップＳ７０４によって得られた無線ＬＡＮリストに登録された無線ＬＡＮへの切替を指示する信号である。そして、無線ＬＡＮ切替判断部３３３は、一連の無線ＬＡＮ切替処理を終了する。
【００９０】
以上の各ステップにより、移動端末２４０の付近に適切な無線ＬＡＮがあれば移動端末２４０を無線ＬＡＮに切り替えさせることができる。また、移動端末２４０の移動速度が高い場合は、移動端末２４０の無線ＬＡＮ切替処理を行わないようにすることができる。
【００９１】
（無線ＬＡＮの第１抽出処理）
図８は、無線ＬＡＮの第１抽出処理の一例を示すフローチャートである。図７に示したステップＳ７０３の無線ＬＡＮの第１抽出処理として、無線ＬＡＮ切替判断部３３３は、たとえば図８に示す各ステップを実行する。まず、無線ＬＡＮ切替判断部３３３は、無線ＬＡＮリストを初期化する（ステップＳ８０１）。たとえば、無線ＬＡＮ切替判断部３３３は、無線ＬＡＮリストを空にする。無線ＬＡＮリストは、たとえばＲＡＭ３５２に記憶される情報である。
【００９２】
つぎに、無線ＬＡＮ切替判断部３３３は、移動端末２４０の接続先の候補の無線ＬＡＮのうちの、ステップＳ８０２において未選択の無線ＬＡＮを選択する（ステップＳ８０２）。移動端末２４０の接続先の候補の無線ＬＡＮは、たとえば、移動端末２４０が接続可能な無線ＬＡＮを示す接続可能情報（たとえば図１２Ｂ参照）を移動端末２４０などから受信しておくことによって特定することができる。
【００９３】
つぎに、無線ＬＡＮ切替判断部３３３は、移動端末２４０が、ステップＳ８０２によって選択した無線ＬＡＮの通信範囲内に位置しているか否かを判断する（ステップＳ８０３）。たとえば、無線ＬＡＮ切替判断部３３３は、図７のステップＳ７０１によって読み出した各情報に含まれる端末位置情報、無線ＬＡＮ位置情報および無線ＬＡＮ伝送距離情報に基づいてステップＳ８０３の判断を行うことができる。
【００９４】
ステップＳ８０３において、移動端末２４０が選択した無線ＬＡＮの通信範囲内に位置していない場合（ステップＳ８０３：Ｎｏ）は、無線ＬＡＮ切替判断部３３３は、ステップＳ８０２へ戻る。移動端末２４０が選択した無線ＬＡＮの通信範囲内に位置している場合（ステップＳ８０３：Ｙｅｓ）は、無線ＬＡＮ切替判断部３３３は、ステップＳ８０２によって選択した無線ＬＡＮを無線ＬＡＮリストに登録する（ステップＳ８０４）。
【００９５】
つぎに、無線ＬＡＮ切替判断部３３３は、移動端末２４０の接続先の候補の無線ＬＡＮのうちの、ステップＳ８０２において未選択の無線ＬＡＮがあるか否かを判断する（ステップＳ８０５）。未選択の無線ＬＡＮがある場合（ステップＳ８０５：Ｙｅｓ）は、無線ＬＡＮ切替判断部３３３は、ステップＳ８０２へ戻る。未選択の無線ＬＡＮがない場合（ステップＳ８０５：Ｎｏ）は、無線ＬＡＮ切替判断部３３３は、第１抽出処理の処理結果として無線ＬＡＮリストを返す（ステップＳ８０６）。
【００９６】
以上の各ステップにより、移動端末２４０の接続先の候補の無線ＬＡＮのうちの、移動端末２４０が通信範囲内に位置している無線ＬＡＮが登録された無線ＬＡＮリストを得ることができる。
【００９７】
（無線ＬＡＮの第１抽出処理による抽出結果）
図９は、無線ＬＡＮの第１抽出処理による抽出結果の一例を示す図である。図８に示した無線ＬＡＮの第１抽出処理により、無線ＬＡＮ切替判断部３３３は、たとえば図９に示す無線ＬＡＮリスト９００を得ることができる。
【００９８】
無線ＬＡＮリスト９００は、項目「無線ＬＡＮ名」、「最大端末数」、「現在端末数」、「最大通信速度［Ｍｂｐｓ］」、「現在通信速度［Ｍｂｐｓ］」、「最大伝送距離［ｍ］」および「端末現在位置［ｍ］」を含む。
【００９９】
「無線ＬＡＮ名」は、無線ＬＡＮの名称である。無線ＬＡＮリスト９００には、「無線ＬＡＮ名」が「無線ＬＡＮ＿Ａ」、「無線ＬＡＮ＿Ｂ」、「無線ＬＡＮ＿Ｇ」、…「無線ＬＡＮ＿Ｘ」である各無線ＬＡＮが登録されている。たとえば、「無線ＬＡＮ名」が「無線ＬＡＮ＿Ａ」、「無線ＬＡＮ＿Ｂ」、「無線ＬＡＮ＿Ｇ」である各無線ＬＡＮは、それぞれＩＥＥＥ（ｔｈｅ  Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）の８０２．１１ａ、８０２．１１ｂ、８０２．１１ｇに対応した無線ＬＡＮである。
【０１００】
「最大端末数」は、無線ＬＡＮに対して同時に接続可能な移動端末の最大数である。「現在端末数」は、無線ＬＡＮに対して現在接続中の移動端末の数である。「最大通信速度［Ｍｂｐｓ］」は、無線ＬＡＮが行う各無線通信の通信速度（通信帯域）の合計の最大値である。「現在通信速度［Ｍｂｐｓ］」は、無線ＬＡＮが現在実行中の無線通信の通信速度の合計である。「最大伝送距離［ｍ］」は、無線ＬＡＮが無線通信可能な距離である。
【０１０１】
「端末現在位置［ｍ］」は、移動端末２４０の現在位置である。図９に示す例では、「端末現在位置［ｍ］」は、移動端末２４０の現在位置と無線ＬＡＮの位置との間の距離によって表されている。
【０１０２】
（無線ＬＡＮの第２抽出処理）
図１０は、無線ＬＡＮの第２抽出処理の一例を示すフローチャートである。図７に示したステップＳ７０４の無線ＬＡＮの第２抽出処理として、無線ＬＡＮ切替判断部３３３は、たとえば図１０に示す各ステップを実行する。まず、無線ＬＡＮ切替判断部３３３は、ステップＳ７０３の無線ＬＡＮの第１抽出処理によって得られた無線ＬＡＮリストに無線ＬＡＮが登録されているか否かを判断する（ステップＳ１００１）。無線ＬＡＮリストに無線ＬＡＮが登録されていない場合（ステップＳ１００１：Ｎｏ）は、無線ＬＡＮ切替判断部３３３は、ステップＳ１００８へ移行する。
【０１０３】
ステップＳ１００１において、無線ＬＡＮリストに無線ＬＡＮが登録されている場合（ステップＳ１００１：Ｙｅｓ）は、無線ＬＡＮ切替判断部３３３は、ステップＳ１００２へ移行する。すなわち、無線ＬＡＮ切替判断部３３３は、無線ＬＡＮリストに登録されている無線ＬＡＮのうちの、ステップＳ１００２において未選択の無線ＬＡＮを選択する（ステップＳ１００２）。
【０１０４】
つぎに、無線ＬＡＮ切替判断部３３３は、移動端末２４０と、ステップＳ１００２によって選択した無線ＬＡＮと、の間の距離が、ステップＳ１００２によって選択した無線ＬＡＮの最大伝送距離の一定比率以上であるか否かを判断する（ステップＳ１００３）。たとえば、無線ＬＡＮ切替判断部３３３は、図７のステップＳ７０１によって読み出した各情報に含まれる端末位置情報、無線ＬＡＮ位置情報および無線ＬＡＮ伝送距離情報に基づいてステップＳ１００３の判断を行うことができる。一定比率は、一例としては８０％とすることができる。
【０１０５】
ステップＳ１００３において、距離が最大伝送距離の一定比率以上である場合（ステップＳ１００３：Ｙｅｓ）は、無線ＬＡＮ切替判断部３３３は、ステップＳ１００２によって選択した無線ＬＡＮを無線ＬＡＮリストから削除する（ステップＳ１００４）。そして、無線ＬＡＮ切替判断部３３３は、ステップＳ１００７へ移行する。
【０１０６】
ステップＳ１００３において、距離が最大伝送距離の一定比率未満である場合（ステップＳ１００３：Ｎｏ）は、無線ＬＡＮ切替判断部３３３は、ステップＳ１００５へ移行する。すなわち、無線ＬＡＮ切替判断部３３３は、ステップＳ１００２によって選択した無線ＬＡＮの現在端末数が、ステップＳ１００２によって選択した無線ＬＡＮの最大端末数の一定比率以上であるか否かを判断する（ステップＳ１００５）。たとえば、無線ＬＡＮ切替判断部３３３は、図７のステップＳ７０１によって読み出した各情報に含まれる無線ＬＡＮ混雑情報に基づいてステップＳ１００５の判断を行うことができる。一定比率は、一例としては８０％とすることができる。
【０１０７】
ステップＳ１００５において、現在端末数が最大端末数の一定比率以上である場合（ステップＳ１００５：Ｙｅｓ）は、無線ＬＡＮ切替判断部３３３は、ステップＳ１００４へ移行する。現在端末数が最大端末数の一定比率未満である場合（ステップＳ１００５：Ｎｏ）は、無線ＬＡＮ切替判断部３３３は、ステップＳ１００６へ移行する。
【０１０８】
すなわち、無線ＬＡＮ切替判断部３３３は、ステップＳ１００２によって選択した無線ＬＡＮの現在通信速度が、ステップＳ１００２によって選択した無線ＬＡＮの最大通信速度の一定比率以上であるか否かを判断する（ステップＳ１００６）。たとえば、無線ＬＡＮ切替判断部３３３は、図７のステップＳ７０１によって読み出した各情報に含まれる無線ＬＡＮ混雑情報に基づいてステップＳ１００６の判断を行うことができる。一定比率は、一例としては８０％とすることができる。現在通信速度が最大通信速度の一定比率以上である場合（ステップＳ１００６：Ｙｅｓ）は、無線ＬＡＮ切替判断部３３３は、ステップＳ１００４へ移行する。
【０１０９】
ステップＳ１００６において、現在通信速度が最大通信速度の一定比率未満である場合（ステップＳ１００６：Ｎｏ）は、無線ＬＡＮ切替判断部３３３は、ステップＳ１００７へ移行する。すなわち、無線ＬＡＮ切替判断部３３３は、無線ＬＡＮリストの無線ＬＡＮのうちのステップＳ１００２において未選択の無線ＬＡＮがあるか否かを判断する（ステップＳ１００７）。
【０１１０】
ステップＳ１００７において、未選択の無線ＬＡＮがある場合（ステップＳ１００７：Ｙｅｓ）は、無線ＬＡＮ切替判断部３３３は、ステップＳ１００２へ戻る。未選択の無線ＬＡＮがない場合（ステップＳ１００７：Ｎｏ）は、無線ＬＡＮ切替判断部３３３は、第２抽出処理の処理結果として無線ＬＡＮリストを返す（ステップＳ１００８）。
【０１１１】
以上の各ステップにより、無線ＬＡＮの第１抽出処理によって抽出された無線ＬＡＮのうちの、移動端末２４０との間の距離が近く、現在端末数が少なく、かつ現在通信速度が低い無線ＬＡＮが登録された無線ＬＡＮリストを得ることができる。また、たとえばステップＳ１００３を省いた処理としてもよい。また、たとえばステップＳ１００５，Ｓ１００６のいずれかを省いた処理としてもよい。この場合も、混雑の少ない無線ＬＡＮが登録された無線ＬＡＮリストを得ることができる。
【０１１２】
（無線ＬＡＮの第２抽出処理による抽出結果）
図１１は、無線ＬＡＮの第２抽出処理による抽出結果の一例を示す図である。図１０に示した無線ＬＡＮの第２抽出処理により、無線ＬＡＮ切替判断部３３３は、たとえば図１１の抽出結果１１１０に示すように、「無線ＬＡＮ名」が「無線ＬＡＮ＿Ｇ」の無線ＬＡＮを抽出する。
【０１１３】
たとえば、無線ＬＡＮリスト９００において、「無線ＬＡＮ名」が「無線ＬＡＮ＿Ａ」の無線ＬＡＮは、符号１１２１に示すように、「端末現在位置」が４０［ｍ］であることから図１０のステップＳ１００３，Ｓ１００４によって削除される。
【０１１４】
また、無線ＬＡＮリスト９００において、「無線ＬＡＮ名」が「無線ＬＡＮ＿Ｂ」の無線ＬＡＮは、符号１１２２に示すように、「現在端末数」が４６であることから図１０のステップＳ１００５，Ｓ１００４によって削除される。
【０１１５】
（無線ＬＡＮ切替指示信号のフォーマット）
図１２Ａは、無線ＬＡＮ切替指示信号のフォーマットの一例を示す図である。無線基地局２１１は、たとえば図１２Ａに示す無線ＬＡＮ切替指示信号１２１０を送信する。無線ＬＡＮ切替指示信号１２１０は、項目「Ｍｅｓｓａｇｅ  Ｔｙｐｅ」および「ＳＳＩＤ  Ｉｎｆｏｒｍａｔｉｏｎ」を含む。
【０１１６】
たとえば、無線基地局２１１は、図７に示したステップＳ７０４の無線ＬＡＮの第２抽出処理によって得られた無線ＬＡＮリストに登録された無線ＬＡＮのＳＳＩＤを「ＳＳＩＤ  Ｉｎｆｏｒｍａｔｉｏｎ」に格納する。なお、無線ＬＡＮ切替指示信号１２１０は、新規信号ではなく、既存のメッセージのＩｎｆｏｒｍａｔｉｏｎ  Ｅｌｅｍｅｎｔとして追加することも可能である。
【０１１７】
（接続可能無線ＬＡＮ情報）
図１２Ｂは、接続可能無線ＬＡＮ情報の一例を示す図である。図８の処理における移動端末２４０の接続先の候補の無線ＬＡＮは、たとえば図１２Ｂに示す接続可能無線ＬＡＮ情報１２２０が示す無線ＬＡＮとすることができる。接続可能無線ＬＡＮ情報１２２０は、項目「ＳＳＩＤ  Ｉｎｆｏｒｍａｔｉｏｎ」および「＞ＳＳＩＤ」を含む。「ＳＳＩＤ  Ｉｎｆｏｒｍａｔｉｏｎ」は、移動端末２４０の接続先の候補の無線ＬＡＮのＳＳＩＤである。
【０１１８】
または、図８の処理における移動端末２４０の接続先の候補の無線ＬＡＮは、無線基地局２１１で管理しうるすべての無線ＬＡＮとしてもよい。この場合は、無線基地局２１１は、図７に示したステップＳ７０４の第２抽出処理によって得られた無線ＬＡＮリストに含まれ、かつ接続可能無線ＬＡＮ情報１２２０にも含まれている無線ＬＡＮを、移動端末２４０の接続先として指定する。
【０１１９】
または、接続可能無線ＬＡＮ情報１２２０は、すべての移動端末から無線接続可能な無線ＬＡＮを示す情報であってもよい。この場合は、図８の処理における移動端末２４０の接続先の候補の無線ＬＡＮは、たとえば、接続可能無線ＬＡＮ情報１２２０が示す無線ＬＡＮのすべてとすることができる。
【０１２０】
（端末位置情報の取得処理）
図１３は、端末位置情報の取得処理の一例を示すフローチャートである。端末情報管理部３３４は、たとえば、周期的（たとえば１分ごと）に、図１３に示す各ステップを実行する。まず、端末情報管理部３３４は、移動端末２４０における無線ＬＡＮ管理サーバ２２１からの電波の測定結果を示す測定情報を移動端末２４０から受信する。そして、端末情報管理部３３４は、受信した移動端末２４０の測定情報から移動端末２４０の位置を示す端末位置情報を算出する（ステップＳ１３０１）。
【０１２１】
つぎに、端末情報管理部３３４は、ステップＳ１３０１によって算出した端末位置情報を端末情報記憶部３３５に書き込む（ステップＳ１３０２）。そして、端末情報管理部３３４は、一連の端末位置情報の取得処理を終了する。
【０１２２】
または、移動端末２４０は、ＧＰＳなどを用いて測定した移動端末２４０の位置を示す端末位置情報を無線基地局２１１へ送信してもよい。この場合は、端末情報管理部３３４は、移動端末２４０から取得した端末位置情報を端末情報記憶部３３５に書き込む。
【０１２３】
（端末位置情報テーブル）
図１４は、端末位置情報テーブルの一例を示す図である。端末情報記憶部３３５には、たとえば図１４に示す端末位置情報テーブル１４００が記憶される。端末位置情報テーブル１４００は、各移動端末の端末位置情報を含むテーブルである。
【０１２４】
端末位置情報テーブル１４００は、項目「端末名」および「端末現在位置」を含む。「端末名」は、移動端末（たとえば移動端末２４０）の名称である。「端末現在位置」は、移動端末の現在位置を示している。図１４に示す例では、「端末現在位置」は経度および緯度によって表されている。または、「端末現在位置」は、たとえば無線基地局２１１からの距離によって表されてもよい。
【０１２５】
（接続可能無線ＬＡＮ情報の取得処理）
図１５は、接続可能無線ＬＡＮ情報の取得処理の一例を示すフローチャートである。端末情報管理部３３４は、たとえば、周期的（たとえば１日ごと）に、図１５に示す各ステップを実行する。まず、端末情報管理部３３４は、移動端末２４０が過去に接続した無線ＬＡＮを示す接続可能無線ＬＡＮ情報を移動端末２４０から受信する（ステップＳ１５０１）。
【０１２６】
つぎに、端末情報管理部３３４は、ステップＳ１５０１によって受信した接続可能無線ＬＡＮ情報を端末情報記憶部３３５に書き込む（ステップＳ１５０２）。そして、端末情報管理部３３４は、一連の接続可能無線ＬＡＮ情報の取得処理を終了する。
【０１２７】
（接続可能無線ＬＡＮ情報テーブル）
図１６は、接続可能無線ＬＡＮ情報テーブルの一例を示す図である。端末情報記憶部３３５には、たとえば図１６に示す接続可能無線ＬＡＮ情報テーブル１６００が記憶される。接続可能無線ＬＡＮ情報テーブル１６００は、各移動端末の接続可能無線ＬＡＮ情報を含むテーブルである。
【０１２８】
接続可能無線ＬＡＮ情報テーブル１６００は、項目「端末名」および「無線ＬＡＮ情報」を含む。「端末名」は、移動端末（たとえば移動端末２４０）の名称である。「無線ＬＡＮ情報」は、移動端末が過去に接続した無線ＬＡＮのＳＳＩＤである。
【０１２９】
（移動速度情報の取得処理）
図１７は、移動速度情報の取得処理の一例を示すフローチャートである。端末情報管理部３３４は、たとえば、周期的（たとえば１分または３分ごと）に、図１７に示す各ステップを実行する。まず、端末情報管理部３３４は、移動速度情報の要求信号を移動端末２４０へ送信する（ステップＳ１７０１）。これに対して、移動端末２４０は、ＧＰＳや加速度センサなどを用いて測定した移動端末２４０の移動速度を示す移動速度情報を送信する。
【０１３０】
そして、端末情報管理部３３４は、移動端末２４０から移動速度情報を受信する（ステップＳ１７０２）。つぎに、端末情報管理部３３４は、ステップＳ１７０２によって受信した移動速度情報を端末情報記憶部３３５に書き込む（ステップＳ１７０３）。そして、端末情報管理部３３４は、一連の移動速度情報の取得処理を終了する。
【０１３１】
（移動速度情報テーブル）
図１８は、移動速度情報テーブルの一例を示す図である。端末情報記憶部３３５には、たとえば図１８に示す移動速度情報テーブル１８００が記憶される。移動速度情報テーブル１８００は、各移動端末の移動速度情報を含むテーブルである。移動速度情報テーブル１８００は、項目「端末名」および「端末移動速度［ｋｍ／ｈ］」を含む。「端末名」は、移動端末（たとえば移動端末２４０）の名称である。「端末移動速度［ｋｍ／ｈ］」は、移動端末の移動速度［ｋｍ／ｈ］である。
【０１３２】
（無線ＬＡＮ位置情報の取得処理）
図１９は、無線ＬＡＮ位置情報の取得処理の一例を示すフローチャートである。無線ＬＡＮ情報管理部３３６は、たとえば、周期的（たとえば１日または１時間ごと）に、図１９に示す各ステップを実行する。まず、無線ＬＡＮ情報管理部３３６は、無線ＬＡＮ位置情報の要求信号を無線ＬＡＮ管理サーバ２２１，２２２へ送信する（ステップＳ１９０１）。これに対して、無線ＬＡＮ管理サーバ２２１は、アクセスポイント２３１，２３２の位置を示す各無線ＬＡＮ位置情報を送信する。また、無線ＬＡＮ管理サーバ２２２は、アクセスポイント２３３の位置を示す無線ＬＡＮ位置情報を送信する。
【０１３３】
そして、無線ＬＡＮ情報管理部３３６は、無線ＬＡＮ管理サーバ２２１，２２２から無線ＬＡＮ位置情報を受信する（ステップＳ１９０２）。つぎに、無線ＬＡＮ情報管理部３３６は、ステップＳ１９０２によって受信した無線ＬＡＮ位置情報を無線ＬＡＮ情報記憶部３３７に書き込む（ステップＳ１９０３）。そして、無線ＬＡＮ情報管理部３３６は、一連の無線ＬＡＮ位置情報の取得処理を終了する。
【０１３４】
（無線ＬＡＮ位置情報テーブル）
図２０は、無線ＬＡＮ位置情報テーブルの一例を示す図である。無線ＬＡＮ情報記憶部３３７には、たとえば図２０に示す無線ＬＡＮ位置情報テーブル２０００が記憶される。無線ＬＡＮ位置情報テーブル２０００は、各無線ＬＡＮの無線ＬＡＮ位置情報を含むテーブルである。
【０１３５】
無線ＬＡＮ位置情報テーブル２０００は、項目「無線ＬＡＮ名」および「無線ＬＡＮ位置」を含む。「無線ＬＡＮ名」は、無線ＬＡＮ（たとえばアクセスポイント２３１〜２３３の無線ＬＡＮ）の名称である。「無線ＬＡＮ位置」は、無線ＬＡＮの位置である。図２０に示す例では、「無線ＬＡＮ位置」は経度および緯度によって表されている。または、「無線ＬＡＮ位置」は、たとえば無線基地局２１１からの距離によって表されてもよい。
【０１３６】
（無線ＬＡＮ混雑情報の取得処理）
図２１は、無線ＬＡＮ混雑情報の取得処理の一例を示すフローチャートである。無線ＬＡＮ情報管理部３３６は、たとえば、周期的（たとえば１時間ごと）に、図２１に示す各ステップを実行する。まず、無線ＬＡＮ情報管理部３３６は、無線ＬＡＮ混雑情報の要求信号を無線ＬＡＮ管理サーバ２２１，２２２へ送信する（ステップＳ２１０１）。
【０１３７】
これに対して、無線ＬＡＮ管理サーバ２２１は、アクセスポイント２３１，２３２の混雑状況を示す各無線ＬＡＮ混雑情報を送信する。また、無線ＬＡＮ管理サーバ２２２は、アクセスポイント２３３の混雑状況を示す無線ＬＡＮ混雑情報を送信する。無線ＬＡＮ混雑情報には、たとえば現在通信速度、最大通信速度、現在端末数、最大端末数、最大伝送距離が含まれる。
【０１３８】
そして、無線ＬＡＮ情報管理部３３６は、無線ＬＡＮ管理サーバ２２１，２２２から無線ＬＡＮ混雑情報を受信する（ステップＳ２１０２）。つぎに、無線ＬＡＮ情報管理部３３６は、ステップＳ２１０２によって受信した無線ＬＡＮ混雑情報を無線ＬＡＮ情報記憶部３３７に書き込む（ステップＳ２１０３）。そして、無線ＬＡＮ情報管理部３３６は、一連の無線ＬＡＮ混雑情報の取得処理を終了する。
【０１３９】
（無線ＬＡＮ混雑情報テーブル）
図２２は、無線ＬＡＮ混雑情報テーブルの一例を示す図である。無線ＬＡＮ情報記憶部３３７には、たとえば図２２に示す無線ＬＡＮ混雑情報テーブル２２００が記憶される。無線ＬＡＮ混雑情報テーブル２２００は、各無線ＬＡＮの無線ＬＡＮ混雑情報を含むテーブルである。
【０１４０】
無線ＬＡＮ混雑情報テーブル２２００は、項目「無線ＬＡＮ名」、「最大端末数」、「現在端末数」、「最大通信速度［Ｍｂｐｓ］」、「現在通信速度［Ｍｂｐｓ］」、および「最大伝送距離［ｍ］」を含む。これらの各項目は、たとえば図９に示した各項目と同様である。
【０１４１】
このように、実施の形態２にかかる無線基地局２１１によれば、移動端末２４０の接続先候補の無線ＬＡＮの混雑情報を用いることにより、接続先候補の無線ＬＡＮの通信が混雑していない場合に、移動端末２４０を無線ＬＡＮに接続させることが可能になる。これにより、移動端末２４０の通信を無線ＬＡＮにオフロードさせるとともに、オフロードに伴う移動端末２４０の通信品質の劣化を抑えることができる。また、通信要求にかかる呼のベアラ種別が、無線ＬＡＮへの切替が推奨されないベアラ種別である場合は、移動端末２４０の無線ＬＡＮ切替処理を行わないようにすることができる。
【０１４２】
（実施の形態３）
実施の形態３について、実施の形態２と異なる部分について説明する。
【０１４３】
図２３Ａは、実施の形態３にかかる無線基地局の一例を示す図である。図２３Ｂは、図２３Ａに示した無線基地局における情報の流れの一例を示す図である。図２３Ａ，図２３Ｂにおいて、図３Ａ，図３Ｂに示した部分と同様の部分については同一の符号を付して説明を省略する。
【０１４４】
実施の形態３においては、トリガ監視部３３２は、無線通信部３３１によって行われる移動端末２４０との通信の通信パケットのヘッダ部に基づいて、無線通信部３３１によって行われる移動端末２４０との通信のプロトコルを監視する。そして、トリガ監視部３３２は、所定のプロトコルによる通信を検出すると、無線ＬＡＮ切替判断部３３３に対して切替判断要求を行う。所定のプロトコルは、たとえばＲＴＳＰ（Ｒｅａｌ  Ｔｉｍｅ  Ｓｔｒｅａｍｉｎｇ  Ｐｒｏｔｏｃｏｌ）である。
【０１４５】
（プロトコルの監視処理）
図２４は、プロトコルの監視処理の一例を示すフローチャートである。無線基地局２１１は、たとえば図２４に示す各ステップを繰り返し実行する。まず、無線基地局２１１は、無線通信部３３１によって行われる移動端末２４０との通信の通信パケットのヘッダ部を取得する（ステップＳ２４０１）。ステップＳ２４０１は、たとえばトリガ監視部３３２によって行われる。
【０１４６】
つぎに、無線基地局２１１は、ステップＳ２４０１によって取得されたヘッダ部に基づいて、無線通信部３３１によって行われる移動端末２４０との通信のプロトコルがＲＴＳＰであるか否かを判断する（ステップＳ２４０２）。ステップＳ２４０２は、たとえばトリガ監視部３３２によって行われる。
【０１４７】
ステップＳ２４０２において、プロトコルがＲＴＳＰでない場合（ステップＳ２４０２：Ｎｏ）は、無線基地局２１１は、無線ＬＡＮ切替処理を行わずに、一連の監視処理を終了する。この場合は、移動端末２４０の無線基地局２１１を介した通信が継続される。
【０１４８】
ステップＳ２４０２において、プロトコルがＲＴＳＰである場合（ステップＳ２４０２：Ｙｅｓ）は、無線基地局２１１は、無線ＬＡＮ切替処理を行い（ステップＳ２４０３）、一連の監視処理を終了する。ステップＳ２４０３は、たとえば無線ＬＡＮ切替判断部３３３によって実行される。ステップＳ２４０３の無線ＬＡＮ切替処理は、たとえば図７に示した無線ＬＡＮ切替処理と同様である。
【０１４９】
以上の各ステップにより、移動端末２４０からの通信要求を契機として無線ＬＡＮ切替処理を行うことができる。また、通信のプロトコルが、リアルタイム性が要求されるＲＴＳＰである場合は、移動端末２４０の無線ＬＡＮ切替処理を行わないようにすることができる。
【０１５０】
このように、実施の形態３にかかる無線基地局２１１によれば、移動端末２４０の接続先候補の無線ＬＡＮの混雑情報を用いることにより、接続先候補の無線ＬＡＮの通信が混雑していない場合に、移動端末２４０を無線ＬＡＮに接続させることが可能になる。これにより、移動端末２４０の通信を無線ＬＡＮにオフロードさせるとともに、オフロードに伴う移動端末２４０の通信品質の劣化を抑えることができる。また、通信のプロトコルが、無線ＬＡＮへの切替が推奨されないプロトコルである場合は、移動端末２４０の無線ＬＡＮ切替処理を行わないようにすることができる。
【０１５１】
（制御装置を管理サーバによって実現する構成）
上述した各実施の形態においては、図１Ａ，図１Ｂに示した制御装置１１０を無線基地局２１１によって実現する場合について説明したが、制御装置１１０を管理サーバ２１２によって実現してもよい。
【０１５２】
（通信システムの処理）
図２５は、通信システムの処理の一例を示すシーケンス図である。制御装置１１０を管理サーバ２１２によって実現する場合は、通信システム２００においては、たとえば図２５に示す各ステップが実行される。図２５に示す例において、移動端末２４０は無線基地局２１１に接続中であるとする。また、図２５に示す例では、移動端末２４０の接続先の候補がアクセスポイント２３１，２３２である場合について説明する。
【０１５３】
図２５に示すステップＳ２５０１〜Ｓ２５０５は、図４に示したステップＳ４０１〜Ｓ４０５と同様である。ただし、ステップＳ２５０１においては、管理サーバ２１２が、無線基地局２１１を介して移動端末２４０からの端末情報を受信する。また、ステップＳ２５０４においては、管理サーバ２１２が、無線ＬＡＮ管理サーバ２２１からの無線ＬＡＮ情報を受信する。
【０１５４】
ステップＳ２５０５のつぎに、無線基地局２１１が、移動端末２４０から通信要求があったことを通知する通信要求通知を管理サーバ２１２へ送信する（ステップＳ２５０６）。つぎに、管理サーバ２１２が、アクセスポイント２３１，２３２の各無線ＬＡＮのうちの切替先の無線ＬＡＮを、受信した各情報に基づいて選択する（ステップＳ２５０７）。図２５に示す例では、ステップＳ２５０７において、アクセスポイント２３２の無線ＬＡＮが選択されたとする。
【０１５５】
つぎに、管理サーバ２１２が、アクセスポイント２３２の無線ＬＡＮへの接続を指示する無線ＬＡＮ切替指示信号を、無線基地局２１１を介して移動端末２４０へ送信する（ステップＳ２５０８）。つぎに、移動端末２４０が、アクセスポイント２３２に対する接続要求を行う（ステップＳ２５０９）。これにより、移動端末２４０の通信経路が無線基地局２１１からアクセスポイント２３２に切り替わり、移動端末２４０は、ステップＳ２５０５の通信要求にかかる通信をアクセスポイント２３２の無線ＬＡＮを介して開始する。
【０１５６】
このように、図２５に示した管理サーバ２１２によれば、移動端末２４０の接続先候補の無線ＬＡＮの混雑情報を用いることにより、接続先候補の無線ＬＡＮの通信が混雑していない場合に、移動端末２４０を無線ＬＡＮに接続させることが可能になる。これにより、移動端末２４０の通信を無線ＬＡＮにオフロードさせるとともに、オフロードに伴う移動端末２４０の通信品質の劣化を抑えることができる。
【０１５７】
以上説明したように、制御装置、制御方法および通信システムによれば、移動端末の移動速度や無線ＬＡＮの状況等を考慮して、移動端末の通信経路を移動体通信網から無線ＬＡＮへ切り替えるか否かを判断することができる。これにより、無線ＬＡＮへ切り替えることによる通信品質の劣化を抑えることができる。
【０１５８】
このため、たとえば、ユーザが移動端末の無線ＬＡＮ機能をオフにしておいても、通信品質が高い無線ＬＡＮに接続可能な場合は自動的に無線ＬＡＮ機能をオンにして無線ＬＡＮに接続し、トラフィックを無線ＬＡＮにオフロードさせることができる。また、たとえば無線ＬＡＮ機能を常時オンにしておく場合に比べて移動端末の消費電力の低下を抑えることができる。
【０１５９】
たとえば、従来技術においては、切替先の無線ＬＡＮのアクセスポイントの混雑状況を確認せずに切替を実施するため、通信速度が低下してしまい、移動端末の利便性に影響を与える場合がある。また、移動端末の移動状況を考慮していないため、無線ＬＡＮへの切替を実施した後に、移動端末が既に切替先の無線ＬＡＮの通信有効範囲を超過し、通信速度が低下してしまい、または通信不可になる場合がある。
【０１６０】
これに対して、上述した各実施の形態によれば、切替先の無線ＬＡＮの混雑状況を考慮した上で無線ＬＡＮへの切替指示を実施するため、通信経路の切替後の通信速度の低下を抑え、移動端末の利便性の劣化を抑えることができる。また、移動端末の移動状況を考慮した上で無線ＬＡＮへの切替指示を実施するため、移動端末が移動で切替先無線ＬＡＮの通信有効範囲を超過し、通信速度が低下したり通信不可になったりすることを回避し、移動端末の利便性の劣化を抑えることができる。
【０１６１】
また、上述した各実施の形態によれば、ベアラ設定時でのベアラ種別判定、もしくは、リアルタイムプロトコル通信が始まる前での無線ＬＡＮ切替判定が可能である。このため、パケットデータの通信前における通信経路の切替が可能となる。
【０１６２】
上述した各実施の形態に関し、さらに以下の付記を開示する。
【０１６３】
（付記１）移動体通信網の無線基地局へ無線接続し、無線ＬＡＮ（Ｌｏｃａｌ  Ａｒｅａ  Ｎｅｔｗｏｒｋ）の検出動作を行わない第１状態と、前記検出動作を行い、検出した無線ＬＡＮへ無線接続する第２状態と、を切替可能な移動端末を制御する制御装置であって、
前記移動端末の接続先候補の無線ＬＡＮの通信の混雑状態を示す混雑情報を取得する取得部と、
前記取得部によって取得された混雑情報が所定の条件を満たした場合に、前記移動端末を前記第１状態から前記第２状態に切り替える切替制御を行う制御部と、
を備えることを特徴とする制御装置。
【０１６４】
（付記２）前記取得部は、前記移動端末の移動速度を示す移動速度情報を取得し、
前記制御部は、前記取得部によって取得された移動速度情報および前記混雑情報に応じて前記切替制御を行う、
ことを特徴とする付記１に記載の制御装置。
【０１６５】
（付記３）前記制御部は、前記移動速度情報が示す移動速度が所定速度以上である場合は前記切替制御を行わないことを特徴とする付記２に記載の制御装置。
【０１６６】
（付記４）前記制御部は、前記切替制御において、前記接続先候補の無線ＬＡＮの中から前記混雑情報に基づいて選択した無線ＬＡＮを前記移動端末に通知することにより、前記移動端末を前記選択した無線ＬＡＮへ無線接続させることを特徴とする付記１〜３のいずれか一つに記載の制御装置。
【０１６７】
（付記５）前記制御部は、前記移動端末から前記無線基地局に対して通信要求があり、かつ前記混雑情報が所定の条件を満たした場合に前記切替制御を行うことにより、前記移動端末から前記無線ＬＡＮに対して通信要求させることを特徴とする付記１〜４のいずれか一つに記載の制御装置。
【０１６８】
（付記６）前記混雑情報は、前記接続先候補の無線ＬＡＮへ同時に接続可能な移動端末の最大数と、前記接続先候補の無線ＬＡＮへ接続中の移動端末の数と、の相違を示す接続状態情報を含み、
前記制御部は、前記接続状態情報が所定の条件を満たす場合に前記切替制御を行うことを特徴とする付記１〜５のいずれか一つに記載の制御装置。
【０１６９】
（付記７）前記混雑情報は、前記接続先候補の無線ＬＡＮの最大の通信帯域と、前記接続先候補が使用中の通信帯域と、の相違を示す帯域状態情報を含み、
前記制御部は、前記帯域状態情報が所定の条件を満たす場合に前記切替制御を行うことを特徴とする付記１〜６のいずれか一つに記載の制御装置。
【０１７０】
（付記８）前記取得部は、前記接続先候補の無線ＬＡＮと前記移動端末との間の距離と、前記接続先候補の無線ＬＡＮの無線伝送距離と、の相違を示す距離情報を取得し、
前記制御部は、前記距離情報が所定の条件を満たす場合に前記切替制御を行うことを特徴とする付記１〜７のいずれか一つに記載の制御装置。
【０１７１】
（付記９）前記制御部は、前記無線基地局と前記移動端末との間の通信のベアラ種別が所定のベアラ種別になり、かつ前記混雑情報が所定の条件を満たした場合に前記切替制御を行うことを特徴とする付記１〜８のいずれか一つに記載の制御装置。
【０１７２】
（付記１０）前記制御部は、前記無線基地局と前記移動端末との間の通信のプロトコルが所定のプロトコルになり、かつ前記混雑情報が所定の条件を満たした場合に前記切替制御を行うことを特徴とする付記１〜９のいずれか一つに記載の制御装置。
【０１７３】
（付記１１）移動体通信網の無線基地局へ無線接続し、無線ＬＡＮ（Ｌｏｃａｌ  Ａｒｅａ  Ｎｅｔｗｏｒｋ）の検出動作を行わない第１状態と、前記検出動作を行い、検出した無線ＬＡＮへ無線接続する第２状態と、を切替可能な移動端末を制御する制御方法であって、
前記移動端末の接続先候補の無線ＬＡＮの通信の混雑状態を示す混雑情報を取得し、
取得した混雑情報が所定の条件を満たした場合に、前記移動端末を前記第１状態から前記第２状態に切り替える切替制御を行う、
ことを特徴とする制御方法。
【０１７４】
（付記１２）無線基地局へ無線接続し、無線ＬＡＮ（Ｌｏｃａｌ  Ａｒｅａ  Ｎｅｔｗｏｒｋ）の検出動作を行わない第１状態と、前記検出動作を行い、検出した無線ＬＡＮへ無線接続する第２状態と、を切替可能な移動端末と、
前記移動端末の接続先候補の無線ＬＡＮの通信の混雑状態を示す混雑情報を取得し、取得した混雑情報が所定の条件を満たした場合に、前記移動端末を前記第１状態から前記第２状態に切り替える切替制御を行う制御装置と、
を含むことを特徴とする通信システム。
【符号の説明】
【０１７５】
１００，２００  通信システム
１１０  制御装置
１１１  取得部
１１２  制御部
１２０，２１１  無線基地局
１３０，２４０  移動端末
１４０  無線ＬＡＮ
１４１，２３１〜２３３  アクセスポイント
２０１  ＧＰＳ衛星
２１０  ＲＡＮ
２１２  管理サーバ
２２１，２２２  無線ＬＡＮ管理サーバ
３０１  アンテナ
３１０  ＲＲＨ
３１１  アンプ
３１２  無線信号処理部
３２０  ＢＢＵ
３２１  ベースバンド処理部
３２２  コントロール部
３３０  アプリケーション処理部
３３１  無線通信部
３３２  トリガ監視部
３３３  無線ＬＡＮ切替判断部
３３４  端末情報管理部
３３５  端末情報記憶部
３３６  無線ＬＡＮ情報管理部
３３７  無線ＬＡＮ情報記憶部
３５０  通信装置
３５１  ＣＰＵ
３５２  ＲＡＭ
３５３  不揮発メモリ
３５４  有線通信インタフェース
３５５  無線通信インタフェース
３５９  バス
６００  テーブル
９００  無線ＬＡＮリスト
１１１０  抽出結果
１２１０  無線ＬＡＮ切替指示信号
１２２０  接続可能無線ＬＡＮ情報
１４００  端末位置情報テーブル
１６００  接続可能無線ＬＡＮ情報テーブル
１８００  移動速度情報テーブル
２０００  無線ＬＡＮ位置情報テーブル
２２００  無線ＬＡＮ混雑情報テーブル
【図１Ａ】
2015012584.tif 000003
【図１Ｂ】
2015012584.tif 000004
【図２】
2015012584.tif 000005
【図３Ａ】
2015012584.tif 000006
【図３Ｂ】
2015012584.tif 000007
【図３Ｃ】
2015012584.tif 000008
【図４】
2015012584.tif 000009
【図５】
2015012584.tif 000010
【図６】
2015012584.tif 000011
【図７】
2015012584.tif 000012
【図８】
2015012584.tif 000013
【図９】
2015012584.tif 000014
【図１０】
2015012584.tif 000015
【図１１】
2015012584.tif 000016
【図１２Ａ】
2015012584.tif 000017
【図１２Ｂ】
2015012584.tif 000018
【図１３】
2015012584.tif 000019
【図１４】
2015012584.tif 000020
【図１５】
2015012584.tif 000021
【図１６】
2015012584.tif 000022
【図１７】
2015012584.tif 000023
【図１８】
2015012584.tif 000024
【図１９】
2015012584.tif 000025
【図２０】
2015012584.tif 000026
【図２１】
2015012584.tif 000027
【図２２】
2015012584.tif 000028
【図２３Ａ】
2015012584.tif 000029
【図２３Ｂ】
2015012584.tif 000030
【図２４】
2015012584.tif 000031
【図２５】
2015012584.tif 000032